(57)【特許請求の範囲】
【請求項１】
タッチパネルの縁部把持検知方法であって、
前記タッチパネルは縁部領域および操作領域を備え、
ａ１)前記縁部領域および前記操作領域を走査し、前記タッチパネル上のタッチ信号であって、前記縁部領域の信号である第１の縁部信号を含むタッチ信号を得るステップと、
ａ）前記第１の縁部信号と、前回の前記ステップａ１）で得られた前記第１の縁部信号である標準信号とを比較することにより、前記縁部領域の状態が変化したか否かを決定するステップと、
ｂ）前記縁部領域の状態が変化しない場合に前記第１の縁部信号を削除するステップと、
ｃ）前記縁部領域の状態が変化する場合に前記第１の縁部信号を次の前記ステップ（ａ）の前記標準信号として更新するステップと、を備える、
タッチパネルの縁部把持検知方法。
【請求項２】
前記第１の縁部信号を次の標準信号として更新するに先立ち、
ｄ）同一の前記縁部領域を再度走査して第２の縁部信号を得るステップと、
ｅ）前記第２の縁部信号の強度が第１の閾値より大きいか否かを決定するステップと、
ｆ）前記縁部領域の状態を記録し、前記第２の縁部信号の強度が前記第１の閾値より大きい場合に前記第１の縁部信号を次の標準信号として更新するステップと、
ｇ）前記第２の縁信号が前記第１の閾値より小さいかまたは等しい場合に前記第１の縁部信号を削除するステップと、をさらに備える、
請求項１に記載のタッチパネルの縁部把持検知方法。
【請求項３】
前記タッチパネルは、複数の第１軸方向電極および第２軸方向電極を備える、
請求項１または２に記載のタッチパネルの縁部把持検知方法。
【請求項４】
前記ステップａ）は、
さらに、前記縁部領域上の前記第１軸方向電極の信号強度の総和が第２の閾値より大きいか否かを決定し、
さらに、他の領域上の前記第１軸方向電極の信号強度の総和が第３の閾値より小さいか否かを決定し、タッチされた前記第１軸方向電極の個数が、前記縁部領域上の前記第１軸方向電極の個数より少ないかまたは等しいか否かを決定する、
請求項３に記載のタッチパネルの縁部把持検知方法。
【請求項５】
前記ステップａ）は、
さらに、前記縁部領域上の任意の前記第１軸方向電極の信号強度の変化が第４の閾値より大きいか否かを決定する、または、前記縁部領域上の任意の前記第２軸方向電極の信号強度の変化が第５の閾値より大きいか否かを決定する、
請求項４に記載のタッチパネルの縁部把持検知方法。
【請求項６】
前記ステップａ）は、
さらに、前記縁部領域上のタッチされた前記第１軸方向電極またはタッチされた前記第２軸方向電極の個数が０であるか否かを決定する、
請求項３に記載のタッチパネルの縁部把持検知方法。
【請求項７】
前記ステップａ）は、
さらに、前記縁部領域上の前記第２軸方向電極の信号強度の総和が第２の閾値より大きいか否かを決定し、
さらに、他の領域上の前記第２軸方向電極の信号強度の総和が第３の閾値より小さいか否かを決定し、
さらに、タッチされた前記第１軸方向電極の個数が、前記縁部領域上の前記第１軸方向電極の個数より少ないか等しいかまたは否かを決定する、
請求項３に記載のタッチパネルの縁部把持検知方法。
【請求項８】
前記ステップａ）は、
さらに、前記縁部領域上の任意の前記第２軸方向電極の信号強度の変化が第４の閾値より大きいか否かを決定する、または、前記縁部領域上の任意の前記第１軸方向電極の信号強度の変化が第５の閾値より大きいか否かを決定する、
請求項７に記載のタッチパネルの縁部把持検知方法。
【請求項９】
前記タッチ信号および前記第１の縁部信号の両方が、タッチによって生み出される自己キャパシタンスの変化に基づくものである、
請求項１から８のいずれか１項に記載のタッチパネルの縁部把持検知方法。
【請求項１０】
タッチパネルの縁部把持検知方法に関するデバイスであって、
前記タッチパネルは縁部領域および操作領域を備え、
前記縁部領域および前記操作領域を走査し、前記タッチパネル上のタッチ信号であって、前記縁部領域の信号である第１の縁部信号を含むタッチ信号を得る取得部と、
前記第１の縁部信号と、前記取得部が前回で得られた前記第１の縁部信号である標準信号とを比較することにより、前記縁部領域の状態が変化したか否かを決定する決定部と、
前記縁部領域の状態が変化しない場合に前記第１の縁部信号を削除する削除部と、
前記縁部領域の状態が変化する場合に前記第１の縁部信号を前記決定部が次に用いる前記標準信号として記録する記憶部と、を備える、
タッチパネルの縁部把持検知方法に関するデバイス。
【請求項１１】
前記縁部領域の状態が変化する場合に、同一の前記縁部領域を再び走査して第２の縁部信号を取得する走査部と、
前記第２の縁部信号の強度が第１の閾値より大きいか否かを決定する第２の決定部と、をさらに備え、
前記第２の縁部信号の強度が前記第１の閾値よりも大きい場合、前記記憶部は、前記縁部領域の状態を記録し、前記第１の縁部信号を次の標準信号として更新し、
さらに、前記第２の縁部信号が前記第１の閾値より小さいかまたは等しい場合、前記削除部は、前記第１の縁部信号を削除する、
請求項１０に記載のタッチパネルの縁部把持検知方法に関するデバイス。
【発明の詳細な説明】
【技術分野】
【０００１】
本発明はタッチパネル技術に関し、特に、タッチパネルの縁部把持検知方法およびそのタッチパネルの縁部把持検知方法を利用するデバイスに関する。
【背景技術】
【０００２】
現在、指や互換性のある他のタッチ物体を用いてのタッチによって電子デバイス上で直接動作を実行する技術が、日々の仕事や生活において幅広く応用されている。これらの電子デバイスはタッチパネルを通常採用して、タッチ動作を検出し、後続の動作のための関連する電気信号を生成する。異なるタッチ感知原理によれば、タッチパネルは、抵抗膜方式のもの、静電容量方式のもの、光学方式のもの、電磁誘導方式のもの、超音波方式のものを含む。静電容量方式のタッチパネルの動作原理は、指やタッチペンや他の導電物体を用いてのユーザによるタッチパネルのタッチを含み、このタッチは、タッチパネル上のタッチ位置での静電容量の変化をもたらす。
【０００３】
図１は、従来技術の静電容量方式のタッチパネルの構成の概略図である。図１に示されるように、タッチパネル１０は、第１軸方向に沿って配置される第１軸方向電極１１と、第２軸方向に沿って配置される第２軸方向電極１２と、を備える。第１軸方向電極１１および第２軸方向電極１２は互いに絶縁されると共に互いに交差されて、格子状の電極パターンを形成する。さらに、第１軸方向電極１１および第２軸方向電極１２は、金属線（不図示）によってプロセッサ（不図示）に接続される。
【０００４】
タッチ物体２０がタッチパネル１０にタッチまたは接触すると、タッチパネル１０の第１軸方向電極１１および第２軸方向電極１２の間の静電容量（相互キャパシタンス）が変化する、あるいは、第１軸方向電極１１および接地の間、または第２軸方向電極１２および接地の間の静電容量（自己キャパシタンス）が変化する。
【０００５】
プロセッサは、第１軸方向電極１１および第２軸方向電極１２をそれぞれ走査し、"タッチ前"での静電容量と"タッチ後"での静電容量における変化を比較し、横軸方向座標および縦軸方向座標を確認する。これによって、タッチ物体２０の位置座標を確実に得る。図１に示されるように、タッチ物体２０の位置座標（Ｘ２，Ｙ３）は、ＸおよびＹ軸方向の感知値に基づいて決定することができる。
【先行技術文献】
【特許文献】
【０００６】
【特許文献１】米国特許出願公開第２００８／００１２８３５号明細書
【特許文献２】米国特許出願公開第２００９／０１７４６７９号明細書
【発明の概要】
【発明が解決しようとする課題】
【０００７】
前述したタッチパネル１０が例えばｉＰａｄ（登録商標）のようなタッチデバイスに統合される場合、ユーザの手の掌がタッチパネル１０の縁部領域を握るようにして、縁部把持２２がしばしば発生する。縁部把持２２によって引き起こされる静電容量の変化は、タッチパネルの通常の動作に影響を与えることがある。図２に示されるように、プロセッサは、Ｘ、Ｙ軸方向の静電容量の変化に基づいてタッチ物体２０の通常の座標を決定することができ、縁部把持２２によってもたらされる誤ったタッチ位置（Ｘｎ，Ｙｎ−１）および（Ｘｎ，Ｙｎ＋１）をもまた検知することができる。このため、タッチパネル１０の不正確な動作がもたらされる。
【０００８】
従って、縁部把持がタッチパネルの通常動作へ影響を与えることを防止するために、縁部把持が存在する場合に通常のタッチ位置の位置座標を正確に決定することが、解決すべき問題となっている。
【課題を解決するための手段】
【０００９】
本発明は、上述した問題を考慮してなされたものであり、一つの目的は、タッチパネルの縁部把持検知方法およびそのタッチパネルの縁部把持検知方法を利用するデバイスを提供して、縁部領域の状態およびデータを適切に検知すると共に動的に更新させることを可能とし、さらに、タッチパネルのタッチ信号から縁部信号を削除することである。これによって、通常のタッチ信号を得ると共に縁部把持によってもたらされるタッチパネルの通常動作への影響を減少させることができる。
【００１０】
タッチパネルの縁部把持検知方法は、タッチパネルが縁部領域および操作領域を備え、方法は、縁部領域の状態が変化したか否かを決定するステップと、縁部領域の状態が変化しない場合に第１の縁部信号を削除するステップと、縁部領域の状態が変化する場合に第１の縁部信号を次の標準信号として更新するステップと、を備える。
【００１１】
本発明の他の一つの目的は、タッチパネルの縁部把持検知に関するデバイスを提供することである。
【００１２】
タッチパネルの縁部把持検知に関するデバイスは、タッチパネルは縁部領域および操作領域を備え、縁部領域の状態が変化したか否かを決定する第１の決定部と、縁部領域の状態が変化しない場合に第１の縁部信号を削除する削除部と、を備える。
【００１３】
縁部把持検知方法を採用することで、タッチパネルの検知デバイスは、縁部領域の状態およびデータを適切に検知すると共に動的に更新することができる。本発明に係る方法においては、タッチパネルの縁部領域において縁部把持が発生すると、通常のタッチ信号を得るようにタッチパネルのタッチ信号から縁部信号が削除される。縁部把持によってもたらされるタッチパネルの通常動作への影響を回避することで、通常のタッチ位置の正確な位置の決定をもたらし、これによって、タッチパネルの操作精度を向上させる。
【発明の効果】
【００１４】
本発明によれば、タッチパネルの操作精度を向上させることができる、タッチパネルの縁部把持検知方法およびそのタッチパネルの縁部把持検知方法に関するデバイスを提供することができる。
【図面の簡単な説明】
【００１５】
【図１】従来技術の静電容量方式のタッチパネルの構成の概略図である。
【図２】図１に示したタッチパネルを縁部把持とともに示す概略図である。
【図３】本発明の実施の形態に係るタッチパネルの構成の概略図である。
【図４】本発明の実施の形態に係るタッチパネルの縁部領域の状態の概略図である。
【図５】本発明の実施の形態に係るタッチパネルの縁部領域の状態の遷移概略図である。
【図６】本発明の実施の形態に係るタッチパネルの縁部領域の状態の遷移概略図である。
【図７】本発明の実施の形態に係るタッチパネルの縁部領域の状態の遷移概略図である。
【図８】本発明の実施の形態に係るタッチパネルの縁部領域の状態の遷移概略図である。
【図９】本発明の実施の形態に係るタッチパネルの縁部把持検知方法のフローチャートである。
【図１０】縁部把持が発生した間の、タッチパネルの動作の概略図である。
【図１１】縁部信号が削除された後の通常のタッチ信号が得られることを示す概略図である。
【図１２】本発明の実施の形態に係るタッチパネルの縁部把持検知デバイスの構成の概略図である。
【発明を実施するための形態】
【００１６】
以下に図を参照して説明する特定の実施の形態は例示されるものであり、本発明はこれに限定されない。
【００１７】
図３に示されるように、タッチパネル１００は、複数の第１軸方向電極１０１および複数の第２軸方向電極１０２を備えている。第１軸方向電極１０１および第２軸方向電極１０２は互いに交差されると共に絶縁される。タッチパネル１００の操作領域は、感知に利用され、かつ、感知電極を用いて配置される。操作領域は、縁部領域Ａおよび操作領域Ｂに分割される。
【００１８】
縁部領域Ａは、少なくとも１つの左方縁部領域、右方縁部領域、上方縁部領域、および下方縁部領域を備える。ここでは一例として、左方縁部領域は、左から右へと配置された電極Ｘ１、Ｘ２、およびＸ３に対応する領域である。また、右方縁部領域は、左から右へと配置された電極Ｘｎ−２、Ｘｎ−１、およびＸｎに対応する領域である。
【００１９】
同様にして、上方縁部領域は、上から下へと配置された電極Ｙ１、Ｙ２、およびＹ３に対応する領域である。また、下方縁部領域は、上から下へと配置された電極Ｙｎ−２、Ｙｎ−１、およびＹｎに対応する領域である。縁部領域のサイズはこれに限定されず、タッチパネル１００の実際のサイズに基づいて決定することができる。
【００２０】
タッチパネル１００の縁部領域Ａは、利用の状態に基づいて異なる状態に現れる。特に、本実施の形態では、図４に示されるように、５つの状態を定義することができる。状態１：縁部領域が縁部把持を有していない（把持なし）、状態２：左方縁部領域が縁部把持を有する（Ｘ−左方）、状態３：右方縁部領域が縁部把持を有する（Ｘ−右方）、状態４：上方縁部領域が縁部把持を有する（Ｙ−上方）、状態５：下方縁部領域が縁部把持を有する（Ｙ−下方）。
【００２１】
状態遷移は、"縁部把持を有する"状態と"縁部把持を有しない"状態との間で発生しうる。図５は、初期状態における左方縁部領域の状態、つまり、縁部把持がない状態を示す。図５から図６にかけて、状態１（把持なし）から状態２（Ｘ−左方）への遷移プロセス、つまり、縁部把持２２が左方縁部領域上に現れること、を示す。反対に、図６から図５にかけて、状態２（Ｘ−左方）から状態１（把持なし）への遷移プロセス、つまり、縁部把持２２がタッチパネル１００を離れた場合を示す。図７は、状態２（Ｘ−左方）から状態２'（Ｘ−左方）への遷移プロセスを示し、ここで、縁部把持２２は左方縁部領域上で左および右に移動する。図８は、縁部把持２２が左方縁部領域上で上および下に移動することを示す。
【００２２】
前述した状態および状態遷移は、状態機械が記録して監視することができる。監視に必要なパラメータは、タッチ位置情報と、対応するタッチ位置の信号強度と、を主に含む。パラメータは、静電容量の感知値として具体的に見ることができる。
【００２３】
左方縁部領域（Ｘ１、Ｘ２、およびＸ３）および上方縁部領域（Ｙ１、Ｙ２、およびＹ３）について、状態遷移の条件を例示して説明する。右方縁部領域の状態遷移は左方縁部領域の状態遷移に類似し、さらに、下方縁部領域の状態遷移は上方縁部領域の状態遷移に類似する。そのため、それら類似する内容についてはここではさらに説明しない。
【００２４】
システムが初期化されると、状態機械は状態１に位置を定める。状態１が状態２に遷移される場合、条件１が考慮される。
条件１：左方縁部領域上の第１軸方向電極の静電容量の感知値の総和（ＣＸ１＋ＣＸ２＋ＣＸ３）が、第２の閾値（Ｔｈ２）よりも大きくなり、かつ、他の全ての第１軸方向電極の静電容量の感知値の総和（ＣＸ４＋ＣＸ５＋・・・＋ＣＸｎ）が、第３の閾値（Ｔｈ３）よりも小さくなり、かつ、タッチされた第１軸方向電極の個数が左方縁部領域上の第１軸方向電極の個数と等しいかそれより少ない、つまり、タッチされた電極の個数が３以下である。条件１が満たされると、状態機械は現在の縁部領域の状態を状態２として記録する。直前の縁部領域の状態が状態１である場合、そして、状態１は状態２に遷移する。
【００２５】
状態２が状態１に遷移される場合、条件２が考慮される。
条件２：タッチされた左方縁部領域上の第１軸方向電極の個数が０である。条件２が満たされると、状態機械は、現在の縁部領域の状態を状態１として決定することができる。直前の縁部領域の状態が状態２である場合、そして、状態２は状態１に遷移する。
【００２６】
状態２が状態２'に遷移される場合、条件３が考慮される。
条件３：条件１が満たされるときに、左方縁部領域上の任意の第１軸方向電極（Ｘ１、または、Ｘ２、またはＸ３）の静電容量の値の変化（ΔＣＸ１、または、ΔＣＸ２、または、ΔＣＸ３）が第４の閾値（Ｔｈ４）よりも大きい（これは、左方縁部領域の状態が図７に示されるように依然として縁部把持を有していることを示し、縁部把持２２が位置Ｃから位置Ｄへと移動する）。
【００２７】
または、他の条件として条件３'が考慮される。
条件３'：条件１が満たされるときに、任意の第２軸方向電極（Ｙ１、または、Ｙ２、またはＹ３）の静電容量の感知値（ＣＹ１、または、ＣＹ２、または、ＣＹ３）の総和の変化が、第５の閾値（Ｔｈ５）よりも大きい（これは、図８に示されるように、縁部把持２２が位置Ｃから位置Ｅへと移動する。）。ここで、状態機械は現在の縁部領域の状態を状態２'として記録することができる。直前の縁部領域の状態が状態２である場合、そして、状態２は状態２'に遷移する。
【００２８】
状態１が状態４に遷移される場合、条件４が考慮される。
条件４：上方縁部領域上の第２軸方向電極の静電容量の感知値の総和（ＣＹ１＋ＣＹ２＋ＣＹ３）が、第２の閾値（Ｔｈ２）よりも大きくなり、かつ、他の全ての第２軸方向電極の静電容量の感知値の総和（ＣＹ４＋ＣＹ５＋・・・＋ＣＹｎ）が、第３の閾値（Ｔｈ３）よりも小さくなり、かつ、タッチされた第２軸方向電極の個数が上方縁部領域上の第２軸方向電極の個数と等しいかそれより少ない、つまり、タッチされた電極の個数が３以下である。条件４が満たされると、状態機械は現在の縁部領域の状態を状態４として記録する。直前の縁部領域の状態が状態１である場合、そして、状態１は状態４に遷移する。
【００２９】
状態４が状態１に遷移される場合、条件５が考慮される。
条件５：タッチされた上方縁部領域上の第２軸方向電極の個数が０である。条件５が満たされると、状態機械は、現在の縁部領域の状態を状態１として決定することができる。直前の縁部領域の状態が状態４である場合、そして、状態４は状態１に遷移する。
【００３０】
状態４が状態４'に遷移される場合、条件６が考慮される。
条件６：条件４が満たされるときに、上方縁部領域上の任意の第２軸方向電極（Ｙ１、または、Ｙ２、またはＹ３）の静電容量の値の変化（ΔＣＹ１、または、ΔＣＹ２、または、ΔＣＹ３）が第４の閾値（Ｔｈ４）よりも大きい（これは、上方縁部領域の状態が縁部把持を有し、かつ、縁部把持２２の位置が上縁部領域上で上から下へと移動する）。
【００３１】
または、他の条件として条件６'が考慮される。
条件６'：条件４が満たされるときに、任意の第１軸方向電極の静電容量の感知値（ＣＸ１、または、ＣＸ２、または、ＣＸ３）の総和の変化が、第５の閾値（Ｔｈ５）よりも大きい（これは、縁部把持の位置が上方縁部領域上で左右に移動する）。ここで、状態機械は現在の縁部領域の状態を状態４'として記録することができる。直前の縁部領域の状態が状態４である場合、そして、状態４は状態４'に遷移する。
【００３２】
前述した縁部把持が縁部領域上で発生すると、本発明の実施の形態に係るタッチパネルの縁部把持検知方法が採用されて、縁部信号を削除して通常のタッチ信号を得る。より具体的には、検知方法は、ａ）縁部領域の状態が変化したか否かを決定するステップと、ｂ）縁部領域の状態が変化しない場合に第１の縁部信号を削除するステップと、ｃ）縁部領域の状態が変化する場合に第１の縁部信号を次の標準信号として更新するステップと、を備える。
【００３３】
図９は、本発明の実施の形態に係るタッチパネルの縁部把持検知方法のフローチャートである。縁部把持検知方法は以下のステップを含む。
【００３４】
ステップ２００：操作が開始されるとタッチパネルを初期化し、ＸおよびＹ軸方向の静電容量の感知値を標準信号（標準値）として記録する。例えば、図５に示されるＸおよびＹ軸方向の静電容量の感知値が、初期化時に記録される。
【００３５】
ステップ２０２：タッチパネルの縁部領域および操作領域を走査する。例えば、第１軸方向電極１０１（Ｘ１，Ｘ２・・・Ｘｎ）および第２軸方向電極（Ｙ１，Ｙ２・・・Ｙｎ）をそれぞれ適切な順序で走査する。タッチパネルを指がタッチした場合、関連するタッチ位置に対応する電極上の静電容量が変化する。
【００３６】
ステップ２０４：タッチパネル上のタッチ信号を得る。タッチ信号は、第１の縁部信号、つまり、縁部把持信号を含む。特に本実施の形態では、Ａ／Ｄ変換を利用してタッチ信号をサンプリングおよび計算することができ、ＸおよびＹ軸方向の静電容量の感知信号の波形を得る。ここでは一例として、左方縁部領域上で縁部把持２２が発生すると、図６に示す信号波形グラフが得られる。
【００３７】
ステップ２０６：ステップ２０４で得られた第１の縁部信号を直前の縁部領域の状態と比較することで、縁部領域の状態が変化したか否かを決定する。ここでは一例として、ステップ２００で記録された標準値と第１の縁部信号を比較することで、縁部領域の状態が変化したか否かを決定する。同時に、現在の縁部領域の状態が、前述した条件１から６によって確認される。
【００３８】
ステップ２１２：ステップ２０６で縁部領域の状態が変化したと決定されると、第１の縁部信号を次の標準信号として更新し、現在の縁部領域の状態を記録する。
【００３９】
ステップ２０２、２０４、２０６、および２１２は、ステップ２０６で縁部領域の状態に変化がなくなるまでの間、連続的に実行される。縁部領域の状態が安定した後、ステップ２１４が実行される。ステップ２１４で、第１の縁部信号（つまり、縁部把持信号）がステップ２０４で得られたタッチ信号から削除されて、通常のタッチ信号が得られる。
【００４０】
図１０および図１１に示されるように、ここでは一例として、左方縁部領域が握られると、操作領域に通常のタッチ物体２０が現れ、ステップ２０２および２０４を経て、図１０に示す信号波形を得ることができる。図１１に示される操作領域の通常タッチ信号が、第１の縁部信号（つまり、縁部把持信号）を削除することで得られ、これにより、通常のタッチ物体２０の位置座標を解決する。
【００４１】
前述したタッチパネルの縁部把持検知方法を考慮して、ステップ２０６でノイズ信号を第１の縁部信号として誤判定してしまうことを防止するために、さらに以下の処理を含む。
【００４２】
ステップ２０８：同一の縁部領域を再度走査し、第２の縁部信号を得る。ここでは一例として、ステップ２０６でタッチパネルの左方縁部領域が縁部把持を有すると決定されると、ステップ２０８は左方縁部領域上の電極（Ｘ１、Ｘ２およびＸ３）を再び走査し、第２の縁部信号を得る。
【００４３】
ステップ２１０：第２の縁部信号の強度が第１の閾値（Ｔ１）より大きいか否かを決定する。第２の縁部信号の強度が第１の閾値（Ｔ１）より大きい場合、縁部領域において縁部把持が依然として存在しており、ステップ２１２が実行されて、縁部領域の状態を記録し、第１の縁部信号を次の標準信号として更新することが見込まれる。反対に、第２の縁部信号の強度が第１の閾値（Ｔ１）より小さいかまたは等しい場合、ステップ２０６での第１の縁部信号はノイズ信号であることが見込まれる。
【００４４】
次に、ステップ２１４が実行されて、第１の縁部信号を削除する。第１の縁部信号が０であるとき、つまり、縁部把持がないとき、ステップ２１４で削除される値は０である。ステップ２０８およびステップ２１０は確実に連続して複数の回数実行することができ、周期的な実行の頻度は、実験値に従って設定することができる。
【００４５】
第１の実施の形態において、プロセス２００→２０２→２０４→２０６が、前述したプロセスに従って適切な順序で実行される。ステップ２０６において、状態１が状態２に遷移した場合、プロセス２０８→２１０→２１２が、連続的に実行される。ステップ２１２において、状態２における縁部領域の状態と状態２に対応する縁部信号の両方が記録される。縁部領域の状態が再び変化しなくなるまでの間、プロセス２０２→２０４→２０６が繰り返し実行され、これによって、縁部信号が削除されて、通常のタッチ信号が得られる。
【００４６】
第２の実施の形態において、プロセス２００→２０２→２０４→２０６が、前述したプロセスに従って適切な順序で実行される。ステップ２０６において、状態２が状態１に遷移した場合、プロセス２０８→２１０が、連続的に実行される。ステップ２０８での持続する走査によって縁部把持を有しない第２の縁部信号が得られるため、ステップ２１０で第２の縁部信号が第１の閾値（Ｔ１）よりも小さい場合、プロセスは最後まで直接ステップ２１４に入る。
【００４７】
第３の実施の形態において、プロセス２００→２０２→２０４→２０６が、前述したプロセスに従って適切な順序で実行される。ステップ２０６において、状態１が状態２に遷移した場合、プロセス２０８→２１０が、連続的に実行される。ステップ２１０において、状態２が状態１に再び遷移したと決定された場合、つまり、ステップ２０８での持続する走査によって縁部把持を有しない第２の縁部信号が得られた場合、ここで、ステップ２１０において第２の縁部信号は第１の閾値（Ｔ１）よりも小さく、ステップ２１０での決定がＮｏであることを意味し、ステップ２１４が実行される。全体のプロセスは、最後まで、２００→２０２→２０４→２０６→２０８→２１０→２１４を含む。
【００４８】
第４の実施の形態において、プロセス２００→２０２→２０４→２０６が、前述したプロセスに従って適切な順序で実行される。ステップ２０６において、状態１が状態２に遷移した場合、プロセス２０８→２１０が、連続的に実行される。ステップ２１０において、状態２が状態２'に遷移したと決定された場合、つまり、ステップ２０８での持続する走査によって縁部把持を有する第２の縁部信号が得られた場合、ここで、ステップ２１０において第２の縁部信号は第１の閾値（Ｔ１）よりも大きく、ステップ２１０での決定がＹｅｓであることを意味し、ステップ２１２が連続して実行される。縁部領域の状態２が記録されて、第１の縁部信号が次の標準信号として更新される。
【００４９】
プロセス２００→２０２→２０４→２０６が連続的に実行されて、ステップ２０４で状態２'に対応する縁部信号が得られ、このとき、この得られた縁部信号と、直前の縁部領域の状態での縁部信号、つまり、ステップ２０６での状態２に対応する縁部信号と比較される。縁部領域の状態はそして、プロセス２０８→２１０→２１２を実行し、ここで、ステップ２１２で記録された縁部領域の状態は状態２'であり、かつ、状態２'に対応する縁部信号は次の標準信号として更新される。ステップ２０６で縁部領域の状態が再び変化しなくなるまでの間、プロセス２００→２０２→２０４→２０６が連続的に実行され、そして、縁部信号が削除されて、通常のタッチ信号を得る。
【００５０】
第５の実施の形態において、プロセス２００→２０２→２０４→２０６が、前述したプロセスに従って適切な順序で実行される。ステップ２０６において、状態２が状態１に遷移したと決定された場合、プロセス２０８→２１０が、連続的に実行される。
【００５１】
ステップ２１０において、状態２が状態１に再び遷移したと決定され、ステップ２０８での持続する走査によって縁部把持を有する第２の縁部信号が得られた場合、ここで、ステップ２１０において第２の縁部信号は第１の閾値（Ｔ１）よりも大きい。これにより、ステップ２１０での決定がＹｅｓであり、ステップ２１２が実行されて、縁部領域の状態を状態１として記録し、状態１に対応する第１の縁部信号を次の標準信号として更新する。
【００５２】
ステップ２０４で状態２'に対応する縁部信号が得られ、この得られた縁部信号が、直前の縁部領域の状態での縁部信号、つまり、ステップ２０６での状態１に対応する縁部信号と比較されるために、プロセス２０２→２０４→２０６が再び連続的に実行される。
【００５３】
縁部領域の状態が変化した場合、プロセス２０８→２１０→２１２が実行され、ここで、ステップ２１２で記録された縁部領域の状態は状態２である。状態２に対応する縁部信号は次の標準信号として更新される。
【００５４】
縁部領域の状態が再び変化しないとステップ２０６で決定されるまでの間、プロセス２００→２０２→２０４→２０６が連続的に実行され、そして、縁部信号が削除されて、通常のタッチ信号を得る。
【００５５】
異なるサイズの指やタッチ物体に適応するために、本実施の形態の開示によって提供されるタッチパネルの縁部把持検知方法は、記録された縁部領域の縁部信号に基づく、タッチパネルの縁部領域のサイズを調整するプロセスをもまた備える。ここでは一例として、電極Ｘ１およびＸ２の位置において縁部把持が発生すると、左方縁部領域は、電極Ｘ１およびＸ２に対応するタッチパネルの位置において調整することができる。
【００５６】
本実施の形態の開示によって提供される縁部把持検知方法は、自己キャパシタンス方式の検知または他の検知の原理に基づく走査検知方法を利用することができる。自己キャパシタンス方式の検知または他の検知の原理に基づく走査検知方法は、前述したタッチ信号、第１の縁部信号、第２の縁部信号または標準信号などのような、それら全てが、タッチによって生み出される自己キャパシタンス方式の感知に基づくものである。
【００５７】
前述したタッチパネルの縁部把持検知方法は、本実施の形態の開示によって提供されるタッチパネルの縁部把持検知デバイスによって、実装することができる。図１２に示されるように、検知デバイス１１０およびタッチパネル１００は電気的に接続され（不図示）、検知デバイス１１０は、第１の決定部１１３、削除部１１４、および記憶部１１５を主に備えている。
【００５８】
第１の決定部１１３は、縁部領域の状態が変化したか否かを決定する。削除部１１４は、縁部領域の状態が変化しない場合に第１の縁部信号を削除する。記憶部１１５は、縁部領域の状態が変化した場合に第１の縁部信号を次の標準信号として更新する。
【００５９】
他の実施の形態では、前述した検知デバイス１１０は、走査部１１１、取得部１１２、および第２の決定部１１６をさらに備える。走査部１１１は、タッチパネルの第１軸方向電極１０１および第２軸方向電極１０２を走査する。走査によって得られたタッチ信号は、取得部１１２に出力される。タッチ信号は、第１の縁部信号をさらに含む。取得部１１２は、タッチ信号のＡ／Ｄ変換を計算し、これによって、ＸおよびＹ軸方向の静電容量の感知信号の波形を取得する。
【００６０】
第１の決定部１１３は、取得部１１２によって取得された第１の縁部信号を直前の縁部領域の状態での縁部信号と比較して、縁部領域の状態が変化したか否かを決定する。第１の決定部１１３による具体的な決定の条件および決定方法は、前述したタッチパネルの縁部把持検知方法と本質的に同一であり、ここではその説明を省略する。第１の決定部１１３が縁部領域の状態が変化していないと決定したとき、削除部１１４は、第１の縁部信号を削除して通常のタッチ信号を取得する。第１の決定部１１３が縁部領域の状態が変化したと決定したとき、記憶部１１５は、縁部領域の状態を記録し、第１の縁部信号を次の標準信号として更新する。
【００６１】
ノイズ信号を第１の縁部信号として誤判定してしまうことを回避するために、第１の決定部１１３による決定がＹｅｓの場合、走査部１１１を利用して同一の縁部領域を走査し、第２の縁部信号を得る。
【００６２】
検知デバイス１１０は、第２の決定部１１６をさらに備える。第２の決定部１１６は、第２の縁部信号の強度が閾値より大きいか否かを決定する。第２の縁部信号の強度が第１の閾値よりも大きい場合、記憶部１１５は、縁部領域の状態を記録し、第１の縁部信号を次の標準信号として更新する。ここで、第２の縁部信号が第１の閾値より小さいかまたは等しい場合、削除部１１４は、第１の縁部信号を削除する。
【００６３】
異なるサイズの指やタッチ物体に適応するために、本実施の形態の開示によって提供されるタッチパネルの縁部把持検知方法は、調整部１１７をさらに備える。調整部１１７は、記憶部１１５に記録された第１の縁部信号に基づいて、タッチパネル１００の縁部領域のサイズを調整する。
【００６４】
本実施の形態の開示によって提供されるタッチパネル１００の縁部把持検知デバイス１１０は、自己キャパシタンス方式の検知または他の検知の原理に基づく走査検知方法を利用することができる。自己キャパシタンス方式の検知または他の検知の原理に基づく走査検知方法は、前述したタッチ信号、第１の縁部信号、第２の縁部信号または標準信号などのような、それら全てが、タッチによって生み出される自己キャパシタンス方式の感知に基づくものである。
【００６５】
前述したタッチパネルの縁部把持検知方法およびデバイスは、縁部領域の状態およびデータを適切に検知し、かつ、動的に更新することができる。縁部把持がタッチパネルの縁部領域上で発生し、タッチパネルのタッチ信号から縁部信号を削除する。これによって、通常のタッチ信号を取得し、縁部把持が発生した場合においても通常のタッチ位置を正確に決定可能とする。従って、縁部把持によってもたらされるタッチパネルの通常動作における影響が回避され、タッチパネルの操作精度が向上される。
【００６６】
特定の実施の形態を示して説明したが、本発明の精神および範囲を離れることなくして、これに対する種々の変更および取り換えを行ってもよい。従って、本発明は説明として説明されたものであり、限定されるものでないことが理解される。
【符号の説明】
【００６７】
１０  タッチパネル、
１１  第１軸方向電極、
１２  第２軸方向電極、
２０  タッチ物体、
２２  縁部把持、
１００  タッチパネル、
１０１  第１軸方向電極、
１０２  第２軸方向電極、
１１０  検知デバイス、
１１１  走査部、
１１２  取得部、
１１３  第１の決定部、
１１４  削除部、
１１５  記憶部、
１１６  第２の決定部、
１１７  調整部、
Ａ  縁部領域、
Ｂ  操作領域、
【図１】
0005520336.tif 000002
【図２】
0005520336.tif 000003
【図３】
0005520336.tif 000004
【図４】
0005520336.tif 000005
【図５】
0005520336.tif 000006
【図６】
0005520336.tif 000007
【図７】
0005520336.tif 000008
【図８】
0005520336.tif 000009
【図９】
0005520336.tif 000010
【図１０】
0005520336.tif 000011
【図１１】
0005520336.tif 000012
【図１２】
0005520336.tif 000013